(57)【要約】【課題】放射線画像撮影装置の修理等の作業を迅速に開始することを可能とし、ユーザーが放射線画像撮影装置を使用することができない期間を短縮することが可能な放射線画像撮影装置を提供する。【解決手段】放射線画像撮影装置１は、照射された放射線の線量に応じた電荷を発生させる複数の放射線検出素子７が二次元状に配列されたセンサーパネルＳＰと、データを記憶可能な記憶手段２３と、外部からのデータの入力を受け付けるための入力手段２５、３９、４１と、入力手段２５、３９、４１を介する外部からのデータの入力を制御する入力制御手段２６と、入力制御手段２６を含む各機能部の動作を制御する制御手段２２とを備え、入力制御手段２６は、入力手段２５、３９、４１を介して外部から入力された任意のデータを記憶手段２３に記憶させる。【選択図】図３
2016109604.tif 000002
【特許請求の範囲】
【請求項１】
照射された放射線の線量に応じた電荷を発生させる複数の放射線検出素子が二次元状に配列されたセンサーパネルと、
データを記憶可能な記憶手段と、
外部からの前記データの入力を受け付けるための入力手段と、
前記入力手段を介する外部からの前記データの入力を制御する入力制御手段と、
前記入力制御手段を含む各機能部の動作を制御する制御手段と、
を備える放射線画像撮影装置において、
前記入力制御手段は、前記入力手段を介して外部から入力された任意のデータを前記記憶手段に記憶させることを特徴とする放射線画像撮影装置。
【請求項２】
前記制御手段または前記入力制御手段は、前記放射線画像撮影装置の修理または解析に必要なデータを収集して前記記憶手段に記憶させることを特徴とする請求項１に記載の放射線画像撮影装置。
【請求項３】
前記制御手段は、前記センサーパネルを制御して前記放射線検出素子ごとに画像データを生成させるとともに、当該画像データの撮影時に前記記憶手段に記憶された前記データを当該画像データに対応付けることを特徴とする請求項１または請求項２に記載の放射線画像撮影装置。
【請求項４】
請求項１から請求項３のいずれか一項に記載の放射線画像撮影装置と、
記録したデータを前記放射線画像撮影装置に入力可能な記録装置と、
を備える放射線画像撮影システムにおいて、
前記放射線画像撮影装置の前記入力制御手段は、前記入力手段を介して前記記録装置から入力された任意のデータを前記放射線画像撮影装置の前記記憶手段に記憶させることを特徴とする放射線画像撮影システム。
【請求項５】
指定された前記記録装置から前記放射線画像撮影装置の前記記憶手段に前記データが入力された場合、または、指定された機器を介して前記記録装置から前記放射線画像撮影装置の記憶手段に前記データが入力された場合、または、前記放射線画像撮影装置の前記記憶手段に記憶される前記データに所定の識別情報が付加されている場合に、前記放射線画像撮影装置に前記データを入力することができるように構成されていることを特徴とする請求項４に記載の放射線画像撮影システム。
【請求項６】
表示部または発声手段を有するコンピューターまたは携帯情報端末を備え、
前記コンピューターまたは前記携帯情報端末は、前記放射線画像撮影装置の前記記憶手段に記憶されている前記データを取得して、前記表示部に表示させ、または、取得した前記データを前記発声手段で音声として再生させることができるように構成されていることを特徴とする請求項４または請求項５に記載の放射線画像撮影システム。
【請求項７】
前記コンピューターまたは前記携帯情報端末は、撮影に使用する前記放射線画像撮影装置の選択時に、選択された前記放射線画像撮影装置または選択可能な前記放射線画像撮影装置から、前記記憶手段に記憶されている前記データを取得して、前記表示部上に表示させ、または、取得した前記データを前記発声手段で音声として再生させることを特徴とする請求項６に記載の放射線画像撮影システム。
【請求項８】
前記放射線画像撮影装置の前記制御手段または前記入力制御手段は、指定された前記コンピューターまたは指定された前記携帯情報端末から前記放射線画像撮影装置に対して前記記憶手段に記憶された前記データの送信要求があった場合、または、指定された機器を介して前記コンピューターまたは前記携帯情報端末から前記放射線画像撮影装置に対して前記記憶手段に記憶された前記データの送信要求があった場合、または、前記コンピューターまたは前記携帯情報端末からの送信要求に所定の識別情報が付加されている場合に、前記記憶手段に記憶されている前記データを前記コンピューターまたは前記携帯情報端末に送信することを特徴とする請求項６または請求項７に記載の放射線画像撮影システム。
【請求項９】
前記放射線画像撮影装置の前記記憶手段に記憶された前記データを削除することが可能な装置を備えることを特徴とする請求項４から請求項８のいずれか一項に記載の放射線画像撮影システム。
【請求項１０】
指定された前記装置で前記放射線画像撮影装置の前記記憶手段に記憶された前記データを削除することができ、または、指定された機器を介して前記装置で前記放射線画像撮影装置の前記記憶手段に記憶された前記データを削除することができ、または、前記装置からの削除要求に所定の識別情報が付加されている場合に前記放射線画像撮影装置の前記記憶手段に記憶された前記データを削除することができるように構成されていることを特徴とする請求項９に記載の放射線画像撮影システム。
【発明の詳細な説明】
【技術分野】
【０００１】
本発明は、放射線画像撮影装置および放射線画像撮影システムに係り、特に、放射線撮影に用いられる放射線画像撮影装置および放射線画像撮影システムに関する。
【背景技術】
【０００２】
近年、放射線検出素子を二次元状に配列し、放射線照射装置から照射され被写体を透過した放射線に応じて放射線検出素子内で発生した電荷を読み取り画像データを生成する放射線画像撮影装置（Flat Panel Detector）が種々開発されており、病院等の施設で撮影に用いられている。また、近年、放射線検出素子等が形成されたセンサーパネル等を筐体内に収納し、持ち運び可能とした可搬型の放射線画像撮影装置が開発され、実用化されている（例えば特許文献１、２参照）。
【０００３】
ところで、このような放射線画像撮影装置が故障する等してメーカー側に送って修理等を行う場合、従来は、装置をメーカーに送るとともに、ユーザーが別途、放射線画像撮影装置に生じた症状や必要な情報等の付帯情報を別紙や電子メール等の形でメーカー側に送っていた。そして、メーカー側は、送られてきた別紙や電子メール等に記載された付帯情報を基にして、装置の修理や解析等の作業を行っていた。
【先行技術文献】
【特許文献】
【０００４】
【特許文献１】特開２００６−０５８１２４号公報
【特許文献２】特開平６−３４２０９９号公報
【発明の概要】
【発明が解決しようとする課題】
【０００５】
しかしながら、この場合、ユーザーは、放射線画像撮影装置を修理等に出す際に、症状や必要な情報を、種々の記録簿等の記載やメモ等の中から探し出したり、放射線技師等から聴取する等して、別紙や電子メール等に付帯情報としてまとめなければならず、面倒な作業になっていた。
【０００６】
また、メーカー側は、装置と、電子メール等と一方だけ送られてきても修理や解析等の作業に取り掛かることができない。すなわち、装置と電子メール等の両方が揃わないと装置の修理や解析等の作業に着手することができず、装置の修理等を迅速に開始することができないという問題があった。
【０００７】
さらに、このようにメーカー側での装置の修理や解析等の作業の開始が遅れると、作業を完了して装置がユーザーに返却される時期も遅くなってしまう。そのため、ユーザー側が放射線画像撮影装置を使用できない期間が長期化するという問題もあった。
【０００８】
本発明は、上記の問題点を鑑みてなされたものであり、放射線画像撮影装置の修理等の作業を迅速に開始することを可能とし、ユーザーが放射線画像撮影装置を使用することができない期間を短縮することが可能な放射線画像撮影装置および放射線画像撮影システムを提供することを目的する。
【０００９】
また、上記の問題を解決するために本発明で採用される構成は、その他の有用な用途にも用いることができる。そのため、本発明は、放射線画像撮影装置における本発明の構成を活用して、ユーザーにとって放射線画像撮影装置を使い易いものとすることをも目的とする。
【課題を解決するための手段】
【００１０】
前記の問題を解決するために、本発明の放射線画像撮影装置は、
照射された放射線の線量に応じた電荷を発生させる複数の放射線検出素子が二次元状に配列されたセンサーパネルと、
データを記憶可能な記憶手段と、
外部からの前記データの入力を受け付けるための入力手段と、
前記入力手段を介する外部からの前記データの入力を制御する入力制御手段と、
前記入力制御手段を含む各機能部の動作を制御する制御手段と、
を備える放射線画像撮影装置において、
前記入力制御手段は、前記入力手段を介して外部から入力された任意のデータを前記記憶手段に記憶させることを特徴とする。
【００１１】
また、本発明の放射線画像撮影システムは、
上記の本発明の放射線画像撮影装置と、
記録したデータを前記放射線画像撮影装置に入力可能な記録装置と、
を備える放射線画像撮影システムにおいて、
前記放射線画像撮影装置の前記入力制御手段は、前記入力手段を介して前記記録装置から入力された任意のデータを前記放射線画像撮影装置の前記記憶手段に記憶させることを特徴とする。
【発明の効果】
【００１２】
本発明のような方式の放射線画像撮影装置および放射線画像撮影システムによれば、放射線画像撮影装置の修理等の作業を迅速に開始することが可能となり、ユーザーが放射線画像撮影装置を使用することができない期間を的確に短縮することが可能となる。
【図面の簡単な説明】
【００１３】
【図１】本実施形態に係る放射線画像撮影装置の外観を示す斜視図である。
【図２】図１のＸ−Ｘ線に沿う断面図である。
【図３】放射線画像撮影装置の等価回路を表すブロック図である。
【図４】本実施形態に係る放射線画像撮影システムの構成例を表す図である。
【図５】記憶手段に記憶されたテキストデータの例を示す図である。
【図６】本実施形態に係る放射線画像撮影システムの別の構成例を表す図である。
【発明を実施するための形態】
【００１４】
以下、本発明に係る放射線画像撮影装置および放射線画像撮影システムの実施の形態について、図面を参照して説明する。
【００１５】
なお、以下では、放射線画像撮影装置として、シンチレーター等を備え、照射された放射線をシンチレーターで可視光等の他の波長の光に変換して放射線検出素子で画像データを得るいわゆる間接型の放射線画像撮影装置について説明するが、本発明は、シンチレーター等を介さずに放射線を放射線検出素子で直接検出する、いわゆる直接型の放射線画像撮影装置に対しても適用することも可能である。
【００１６】
［放射線画像撮影装置］
本実施形態に係る放射線画像撮影システムで用いられる放射線画像撮影装置の基本的な構成について簡単に説明する。図１は、放射線画像撮影装置の外観を示す斜視図であり、図２は、図１のＸ−Ｘ線に沿う断面図である。
【００１７】
本実施形態では、放射線画像撮影装置１は、図１や図２に示すように、筐体状のハウジング２内にシンチレーター３や基板４等で構成されるセンサーパネルＳＰが収納されて構成されている。本実施形態では、筐体２は、放射線入射面Ｒを有する中空の角筒状のハウジング本体部２Ａの両側の開口部を蓋部材２Ｂ、２Ｃで閉塞することで形成されている。
【００１８】
そして、図１に示すように、筐体２の一方側の蓋部材２Ｂには、電源スイッチ３７や切替スイッチ３８、コネクター３９、インジケーター４０等が配置されており、図１では図示を省略するが、ＵＳＢ（Universal Serial Bus）メモリー等の記憶媒体を接続可能な記憶媒体用のコネクター２５（図３参照）等も設けられている。また、本実施形態では、筐体２の例えば反対側の側面等に、後述するコンピューター６０や携帯情報端末７０等（後述する図４参照）の記録装置と無線方式で通信を行うためのアンテナ４１（後述する図３参照）が設けられている。
【００１９】
なお、放射線画像撮影装置１は、外部と無線方式で通信を行う場合にはアンテナ４１を用い、外部と有線方式で通信を行う場合にはコネクター３９に図示しないケーブル等を接続させて通信するようになっている。そして、本実施形態では、後述するようにアンテナ４１やコネクター３９、記憶媒体用のコネクター２５等を介して外部からデータが入力されるようになっている。
【００２０】
このように、本実施形態では、アンテナ４１やコネクター３９、記憶媒体用のコネクター２５等が、本発明における放射線画像撮影装置１の、外部からの前記データの入力を受け付けるための入力手段として機能するようになっている。なお、他の手段を介して放射線画像撮影装置１にデータが入力されるように構成される場合には、当該他の手段も本発明における放射線画像撮影装置１の入力手段に相当するものとなる。
【００２１】
また、図２に示すように、筐体２の内部には、基板４の下方側に図示しない鉛の薄板等を介して基台３１が配置され、基台３１には、電子部品３２等が配設されたＰＣＢ基板３３や電源２４等が取り付けられている。また、基板４やシンチレーター３の放射線入射面Ｒには、それらを保護するためのガラス基板３４が配設されており、センサーパネルＳＰと筐体２の側面との間に緩衝材３５が設けられている。
【００２２】
図３は、放射線画像撮影装置の等価回路を表すブロック図である。図３に示すように、放射線画像撮影装置１には、図示しないセンサー基板上に複数の放射線検出素子７が二次元状（マトリクス状）に配列されている。各放射線検出素子７は、照射された放射線の線量に応じた電荷を発生させるようになっている。各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００２３】
各放射線検出素子７には、薄膜トランジスター（Thin Film Transistor。以下、ＴＦＴという。）８がスイッチ素子として接続されており、ＴＦＴ８は信号線６に接続されている。また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加されるようになっている。そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断して、放射線検出素子７内で発生した電荷を放射線検出素子７内に蓄積させるようになっている。
【００２４】
読み出しＩＣ１６内には複数の読み出し回路１７が設けられており、読み出し回路１７にはそれぞれ信号線６が接続されている。そして、画像データＤの生成処理の際には、放射線検出素子７から電荷が放出されると、電荷は信号線６を介して読み出し回路１７に流れ込み、増幅回路１８では流れ込んだ電荷の量に応じた電圧値が出力される。そして、相関二重サンプリング回路（図３では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００２５】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３が接続されている。
【００２６】
また、制御手段２２には、走査駆動手段１５や読み出し回路１７、記憶手段２３、バイアス電源１４等の各機能部に必要な電力を供給する電源２４等が接続されている。そして、制御手段２２は、画像データＤの生成処理の際には、上記のように走査駆動手段１５や読み出し回路１７等の動作を制御して、各放射線検出素子７から電荷を読み出して画像データＤを生成するように制御するようになっている。
【００２７】
さらに、制御手段２２には、アンテナ４１やコネクター３９を介する外部との無線方式や有線方式での通信や、記憶媒体用のコネクター２５を介する記憶媒体からのデータの入力を制御するためのマイクロコンピューター等を備えた通信部２６が接続されている。そして、本実施形態では、通信部２６は、記憶手段２３等の、後述する任意のデータを記憶可能な記憶手段にも接続されている。
【００２８】
そして、通信部２６は、例えば制御手段２２がいわゆるスリープ（sleep）状態である場合でも、後述するように外部のコンピューター６０や携帯情報端末７０、カメラ８０等（後述する図４参照）の記録装置からデータが送信されて入力されたり、或いは記録媒体用のコネクター２５を介して記録媒体からのデータの入力があると、それらのデータを記憶手段に記憶させるようになっている。すなわち、本実施形態では、通信部２６が、入力手段であるアンテナ４１やコネクター３９、記録媒体用のコネクター２５等を介する外部からのデータの入力を制御する入力制御手段として機能するようになっている。
【００２９】
［本発明に特有の構成等について］
次に、本実施形態に係る放射線画像撮影装置１における本発明に特有の構成等について説明する。また、以下、本実施形態に係る放射線画像撮影装置１の作用についてもあわせて説明する。
【００３０】
前述したように、上記の放射線画像撮影装置１が故障する等してメーカー側に送って修理等を行う場合、従来は、装置をメーカーに送るとともに、ユーザー（病院等の施設の担当者）が別途、放射線画像撮影装置に生じた症状や必要なデータ等の付帯情報を別紙や電子メール等の形でメーカー側に送っていた。そのため、ユーザーは、修理等に出す際に放射線画像撮影装置１の症状や必要なデータ等を別紙や電子メール等に付帯情報としてまとめなければならず、面倒な作業になっていた。
【００３１】
また、メーカー側は、装置と、電子メール等とが揃わないと修理や解析等の作業に着手することができないため、装置の修理等を迅速に開始することができなかった。また、装置の修理や解析等の作業の開始が遅れる分、作業を完了して装置がユーザーに返却される時期が遅くなる等の問題があった。
【００３２】
そこで、本実施形態では、入力制御手段である通信部２６は、アンテナ４１やコネクター３９を介して外部の記録装置から送信されて入力された任意のデータや、記憶媒体用のコネクター２５を介して記憶媒体から入力された任意のデータを、記憶手段２３、或いは上記のように読み出された画像データＤが保存される記憶手段２３とは別体に設けられた記憶手段に記憶させることができるように構成されている。
【００３３】
すなわち、従来から、放射線画像撮影装置１の記憶手段には、放射線画像撮影装置１の電源がオン／オフや電源２４の充電が行われた等の予め指定されたイベントが発生した日時等をログとして保存するように構成される場合が多いが、本実施形態では、それ以外にも、テキストや写真、動画、音声等の任意のデータを記憶手段に記憶させることができるようになっている。
【００３４】
そして、例えば図４に示すような放射線画像撮影システム５０において、放射線画像撮影装置１の通信部２６は、コンソール等のコンピューター６０やｉＰａｄ（登録商標）等の携帯情報端末７０、或いはカメラ８０等の外部の記録装置から上記の任意のデータが送信されて入力されると、それらのデータを放射線画像撮影装置１の記憶手段に記憶させるようになっている。
【００３５】
なお、図４では、コンピューター６０や携帯情報端末７０等の記録装置と放射線画像撮影装置１とが無線方式で通信を行うように記載されているが、それらと放射線画像撮影装置１とをケーブルで接続する等して有線方式で通信を行うように構成することも可能である。また、前述したように、図示しない記録媒体を介してカメラ８０等の記録装置から放射線画像撮影装置１にデータ等を入力するように構成することも可能である。
【００３６】
図５は、記憶手段に記憶されたテキストデータの例を示す図である。なお、図５中で「パネル」とは放射線画像撮影装置１のことを表している。例えば、このように、放射線画像撮影装置１の使用時等に生じた事故や不具合、エラーの発生等のほか、放射線技師等のユーザーが気になったことや気が付いたこと等の種々の情報をコンピューター６０や携帯情報端末７０等から放射線画像撮影装置１に送信し、テキストデータとして放射線画像撮影装置１の記憶手段に記憶させるように構成することが可能である。
【００３７】
また、例えば、放射線画像撮影装置１に事故や不具合、エラー等が発生した場合や、放射線画像撮影装置１の運用方法を変更した場合等の種々の場合において、その様子をカメラ８０（図４参照）やビデオカメラ、マイクロフォン等の記録装置で写真や動画、音声等の形で記録し、それらの写真データや動画データ、音声データ等を放射線画像撮影装置１に送信して放射線画像撮影装置１の記憶手段に記憶させるように構成することも可能である。
【００３８】
この場合も、カメラ８０等の記録装置と放射線画像撮影装置１との間を無線方式や有線方式で通信を行うように構成し、記録装置から放射線画像撮影装置１にデータを送信して入力するように構成することも可能である。また、カメラ８０等の記録装置に内蔵された記録媒体を抜き取り、或いは記録装置のメモリーに保存されたデータを記録媒体に読み取り、記録媒体を放射線画像撮影装置１の記録媒体用のコネクター２５（図３参照）に接続して放射線画像撮影装置１にデータを入力するように構成することも可能である。
【００３９】
さらに、例えば、携帯情報端末７０等にＧＰＳ（Global Positioning System）受信機を搭載し、ＧＰＳ受信機で特定した現在位置のデータを、その携帯情報端末７０等とともに持ち運んだ放射線画像撮影装置１に送信して、放射線画像撮影装置１の記憶手段に記憶させるように構成することも可能である。
【００４０】
このように、これまでの説明で、記録装置としては、コンピューター６０や携帯情報端末７０、カメラ８０（図４参照）のほか、ビデオカメラやマイクロフォン、ＧＰＳ受信機を挙げたが、記録装置は、これ以外にも、記録したデータを放射線画像撮影装置１に入力することが可能な装置であればどのような装置であってもよい。そして、放射線画像撮影装置１の記憶手段に記憶させる任意のデータはどのような種類のデータであってもよい。
【００４１】
以上のように構成すれば、上記の放射線画像撮影装置１が故障したり事故や不具合、エラー等が発生する等した際に、その様子をコンピューター６０や携帯情報端末７０上で記載し、それをテキストデータとして放射線画像撮影装置１に送信して記憶手段に記憶させたり、その様子をカメラ８０やビデオカメラ、マイクロフォン等の記録装置で写真や動画、音声等の形で記録し、それらの写真データや動画データ、音声データ等を放射線画像撮影装置１に送信して記憶手段に記憶させることが可能となる。
【００４２】
そのため、修理等の際に、放射線画像撮影装置１のみをメーカー側に送れば、故障等の様子が放射線画像撮影装置１の記憶手段に既に記憶されているため、メーカー側は、放射線画像撮影装置１の記憶手段に記憶されているテキストデータや写真データ等を見れば、放射線画像撮影装置１の故障等の状態を把握することが可能となる。そのため、メーカー側は、前述した従来の場合のようにユーザーから別紙や電子メール等が届くのを待つことなく、放射線画像撮影装置１が届いた時点で装置の修理等を迅速に開始することが可能となる。また、装置の修理や解析等の作業を迅速に開始できる分、作業を完了して装置をユーザーに返却する時期が早めることが可能となる。
【００４３】
また、病院等の施設の担当者等のユーザー側は、前述した従来の場合のように、放射線画像撮影装置１をメーカー側に送る際に、別途、放射線画像撮影装置１の故障の様子や装置に生じた症状等の付帯情報をいちいち別紙や電子メール等にまとめたり、それをメーカー側に送る等の作業を行う必要がなくなり、放射線画像撮影装置１のみをメーカー側に送れば済む。そのため、放射線画像撮影装置１をメーカー側に修理等に出す作業が非常に容易になる。
【００４４】
［効果］
以上のように、本実施形態に係る放射線画像撮影装置１や放射線画像撮影システム５０によれば、放射線画像撮影装置１の入力制御手段である通信部２６は、入力手段であるアンテナ４１やコネクター３９、記録媒体用のコネクター２５等を介して、コンピューター６０や携帯情報端末７０、カメラ８０等の外部の記録装置からテキストデータや写真データ、動画データ、音声データ等の形の任意のデータが入力されると、それらのデータを放射線画像撮影装置１の記録手段に記憶させるように構成した。
【００４５】
そのため、ユーザー側は、放射線画像撮影装置１をメーカー側に送る際に、別途、放射線画像撮影装置１の故障の様子や装置に生じた症状等の付帯情報をいちいち別紙や電子メール等にまとめたり、それをメーカー側に送る等の作業を行う必要がなくなり、放射線画像撮影装置１のみをメーカー側に送れば済むため、放射線画像撮影装置１をメーカー側に修理等に出す作業が非常に容易になる。
【００４６】
また、メーカー側は、ユーザーから別紙や電子メール等が届くのを待つことなく、放射線画像撮影装置１が届いた時点で装置の修理等を迅速に開始することが可能となる。そして、装置の修理や解析等の作業を迅速に開始できる分、作業を完了して装置をユーザーに返却する時期が早めることが可能となる。そのため、放射線画像撮影装置１の修理等の作業を迅速に開始することが可能となり、ユーザーが放射線画像撮影装置を使用することができない期間を短縮することが可能となる。
【００４７】
なお、規模が大きな病院等の施設では、施設のスタッフの中に、放射線画像撮影装置１等のメンテナンス担当のスタッフがいる場合もある。そして、このような場合には、施設のメンテナンス担当のスタッフにとっても、上記のメーカー側の効果と同様に、放射線画像撮影装置１の修理等の作業を迅速に開始することが可能となり、ユーザーが放射線画像撮影装置を使用することができない期間を短縮することが可能となるというメリットがある。
【００４８】
また、メーカーや施設のメンテナンス担当のスタッフは、上記のように放射線画像撮影装置１の記憶手段に種々のデータや情報等が記憶されているため、それを見るだけで、例えば当該放射線画像撮影装置１に対して過去にどのような修理等がなされたかや、或いは故障し易い機能部や部材等や、故障する頻度等を容易かつ的確に把握することが可能となり、放射線画像撮影装置１の修理等を適切に行うことが可能となったり、或いは故障し易い機能部や部材等を適切に交換することが可能となる。
【００４９】
さらに、例えば、放射線画像撮影装置１を用いて撮影された放射線画像に異常があるような場合に、異常な放射線画像やその元となった画像データＤ等を放射線画像撮影装置１の記憶手段に記憶させて残しておくように構成することも可能である。また、そのような異常が生じた原因等が分かればそれもテキストデータ等の形で残しておくように構成することも可能である。
【００５０】
このように構成すれば、例えばメーカーや施設のメンテナンス担当のスタッフ等が、放射線画像撮影装置１の修理等の際にその放射線画像やテキストデータを見ることで、放射線画像撮影装置１にこのような故障等が生じることを的確に認識することが可能となる。また、その知見に基づいて、放射線画像撮影装置１の故障や部材の劣化等を適切に判断して、適切に修理等や部材の交換等を行うことが可能となる。
【００５１】
［必要なデータの自動的な収集等について］
なお、放射線画像撮影装置１を上記のように構成する場合、送られてきた放射線画像撮影装置１の修理や解析等をメーカー側で行う際に必要なデータが、放射線画像撮影装置１の記憶手段に記憶されていない可能性がある。そして、このような場合、メーカー側からユーザー側に問い合わせする等の作業が必要になる可能性があるが、事前に、必要な情報を放射線画像撮影装置１の制御手段２２や通信部２６が自動的に収集して記憶手段に記憶させたり、ユーザー側に予め記憶手段に記憶させておいてもらうように構成すれば、問い合わせ等の作業を行う必要がなくなる。
【００５２】
そのため、例えば、メーカー側で、放射線画像撮影装置１の修理や解析等に必要なデータを放射線画像撮影装置１の制御手段２２や通信部２６が自動的に収集して記憶手段に記憶させるためのプログラムを用意し、ユーザーに連絡して、そのプログラムをダウンロードして放射線画像撮影装置１にインストールしてもらうように構成することが可能である。この場合、放射線画像撮影装置１の制御手段２２や通信部２６は、放射線画像撮影装置１の各機能部から必要なデータを収集して記憶手段に記憶させる。
【００５３】
また、例えば、メーカー側で、放射線画像撮影装置１の修理や解析等に必要なデータや情報等の項目が記載されたファイル等を用意し、ユーザーに連絡して、そのファイル等をダウンロードしてもらうように構成することも可能である。なお、郵送等で送ってもよい。そして、この場合、ユーザーは、ファイル等に記載された項目を見て、放射線画像撮影装置１に故障等が発生した際や、放射線画像撮影装置１をメーカー側に送る際に、ファイル等の項目に記載された必要なデータや情報等を放射線画像撮影装置１の記憶手段に記憶させる。
【００５４】
このように構成すれば、ユーザーは放射線画像撮影装置１のみをメーカー側に送るだけでよく、また、メーカー側は放射線画像撮影装置１が届き次第、速やかに修理や解析等の作業を開始することが可能となるといった上記の有益な効果を奏することが可能となるとともに、メーカー側が放射線画像撮影装置１の修理や解析等を開始する時点で、必要なデータや情報等が確実に揃っているため、メーカー側は、より確実に速やかに修理や解析等の作業を開始することが可能となるといったメリットがある。
【００５５】
なお、上記の場合、メーカー側は、病院等の施設において放射線画像撮影装置１の使われ方（例えば放射線画像撮影装置１が施設外（患者の自宅等）に持ち出されるような場合を含む。）を把握しておけば、放射線画像撮影装置１にどのような故障等が生じるかを事前に予測することができる場合がある。
【００５６】
そのため、このような場合には、例えば、メーカー側が予め、収集するデータや記載されたデータ等の項目が異なる複数種類のプログラムやファイル等を作成しておき、当該施設における放射線画像撮影装置１の使われ方（すなわち発生すると予測される故障等の種類等）に適した種類のプログラムやファイル等をダウンロードしてもらうように構成することも可能である。
【００５７】
このように構成すれば、当該施設において放射線画像撮影装置１に生じる可能性がある故障等を予め予測して、その修理や解析等に必要なデータや情報等を的確に収集させたり記憶手段に書き込んでおいてもらうことが可能となる。そのため、メーカー側が放射線画像撮影装置１の修理や解析等を開始する時点で、必要なデータや情報等が確実に揃っており、メーカー側は、より確実に速やかに修理や解析等の作業を開始することが可能となる。また、それとともに、放射線画像撮影装置１の修理や解析等には必要のないデータや情報等をユーザーに放射線画像撮影装置１の記憶手段に記憶させることがなくなるため、ユーザーにとっても好都合となる。
【００５８】
［記録装置からのデータ等の入力の制限について］
一方、本実施形態では、上記のように、放射線画像撮影装置１の記憶手段には任意のデータを入力して記憶させることができる。その際、外部の任意の記録装置から、放射線画像撮影装置１の記憶手段にデータや情報等を入力することができるように構成すると、誰でも自由に放射線画像撮影装置１の記憶手段にデータや情報等を入力することが可能になり、一見便利なようにも見える。
【００５９】
しかし、このように、任意の記録装置から誰でも自由に放射線画像撮影装置１の記憶手段にデータや情報等を入力できるように構成すると、放射線画像撮影装置１の管理者が知らない間に勝手に放射線画像撮影装置１の記憶手段にデータや情報等が入力されたり、故意に誤ったデータや情報等が入力される等の事態が生じる可能性がある。
【００６０】
そこで、例えば、コンピューター６０や携帯情報端末７０、カメラ８０等の記録装置（図４参照）のうち、ユーザー等により指定された記録装置から放射線画像撮影装置１の記憶手段にデータや情報等が入力された場合にのみ、放射線画像撮影装置１の記憶手段にデータや情報等が記憶されるように構成することが可能である。
【００６１】
この場合、放射線画像撮影装置１の制御手段２２や通信部２６は、記録装置からのデータ等の入力要求に付加されている記録装置のＩＤ等に基づいて、入力要求を出した記録装置が指定された記録装置である場合にのみ、記憶手段にデータや情報等を記憶させるように構成される。また、指定されていない記録装置から放射線画像撮影装置１の記憶手段にデータ等を入力する場合には、指定されていない記録装置（例えばカメラ８０等）から指定された記録装置（例えばコンピューター６０等）に一旦データや情報等を移し、指定された記録装置から放射線画像撮影装置１の記憶手段に記憶させるように構成される。
【００６２】
このように構成する場合、例えば、管理者が管理するコンピューター６０や携帯情報端末７０等の記録装置を指定しておけば、記録装置が管理者が管理する記録装置である場合にのみ、記録装置から放射線画像撮影装置１の記憶手段にデータや情報等を記憶させることが可能となる。そのため、管理者が適切に管理しながら放射線画像撮影装置１の記憶手段にデータや情報等を記憶させることが可能となり、指定されていない記録装置から管理者が知らない間に勝手にデータや情報等が入力されたり故意に誤ったデータや情報等が入力されたりすることを的確に防止することが可能となる。
【００６３】
また、図４に示したようにコンピューター６０や携帯情報端末７０、カメラ８０等の記録装置と放射線画像撮影装置１との間で直接通信等を行う代わりに、例えば図６に示すように、中継器９０等の指定された機器（図６の場合は中継器９０）を介して記録装置から放射線画像撮影装置１の記憶手段にデータや情報等が入力された場合にのみ、放射線画像撮影装置１の記憶手段にデータや情報等が記憶されるように構成することも可能である。
【００６４】
この場合、放射線画像撮影装置１の制御手段２２や通信部２６は、記録装置からのデータ等の入力要求に、中継器９０等の指定された機器のＩＤ等が付加されている場合にのみ、記憶手段にデータや情報等を記憶させるように構成される。なお、図６では、コンピューター６０や携帯情報端末７０等、放射線画像撮影装置１と中継器９０とがアクセスポイント９１を介して無線方式で通信を行うように記載されているが、それらと中継器９０とをケーブルで接続する等して有線方式で通信を行うように構成することも可能である。また、前述したように、図示しない記録媒体を介してカメラ８０等の記録装置から中継器９０にデータ等を入力し、中継器９０から放射線画像撮影装置１の記憶手段にデータ等を記憶させるように構成することも可能である。
【００６５】
このように構成する場合も、例えば、管理者が管理する機器（図６の場合は中継器９０。以下同じ。）を指定しておけば、管理者が管理する機器を介する場合にのみ記録装置から放射線画像撮影装置１の記憶手段にデータや情報等を記憶させることが可能となる。そのため、この場合も、管理者が適切に管理しながら放射線画像撮影装置１の記憶手段にデータや情報等を記憶させることが可能となり、管理者が知らない間に例えば記録装置と放射線画像撮影装置１とを接続する等して勝手にデータや情報等が放射線画像撮影装置１の記憶手段に入力されたり故意に誤ったデータや情報等が入力されたりすることを的確に防止することが可能となる。
【００６６】
さらに、上記のように記録装置や機器を指定する代わりに、或いはそれと同時に、記録装置から放射線画像撮影装置１にデータや情報等を入力する際に、例えばパスワード等の所定の識別情報をデータや情報等に付加するように構成し、記録装置から放射線画像撮影装置１の記憶手段に記憶されるデータや情報等にこの所定の識別情報が付加されている場合にのみ、放射線画像撮影装置１にデータや情報等を入力して記憶させることができるように構成することも可能である。
【００６７】
このように構成する場合も、例えば、管理者が指定したパスワード等の所定の識別情報を知り得る者のみが、所定の識別情報を入力して記録装置から放射線画像撮影装置１の記憶手段にデータや情報等を入力して記憶させることが可能となり、上記と同様の効果を奏することが可能となる。
【００６８】
［記憶手段からのデータ等の削除およびその制限について］
また、不要になったデータや情報等を放射線画像撮影装置１の記憶手段から削除することができるように構成すれば、記憶手段により多くのデータや情報等を記憶させることができるようになり好ましい。そこで、例えば放射線画像撮影システム５０（図４参照）内のコンピューター６０や携帯情報端末７０等の中に、放射線画像撮影装置１の記憶手段に記憶されたデータや情報等を削除することが可能な装置を備えるように構成することが可能である。
【００６９】
この場合、例えば、コンピューター６０等で削除するデータや情報等を選択し、放射線画像撮影装置１に対して、記憶手段に記憶されたデータや情報等の中から、上記のようにして選択したデータや情報等を削除する削除要求を送信する。そして、放射線画像撮影装置１の制御手段２２は、削除要求を受信すると、上記のようにして選択されたデータや情報等を記憶手段から削除するように構成される。
【００７０】
しかし、この場合も、いずれのコンピューター６０や携帯情報端末７０等からでも放射線画像撮影装置１の記憶手段に記憶されているデータや情報等を削除することができるように構成すると、放射線画像撮影装置１の記憶手段に記憶されている、削除すべきでないデータや情報等が、故意に削除される等の問題が生じる可能性がある。
【００７１】
そこで、この場合も、特定のコンピューター６０や携帯情報端末７０等を指定しておき、指定された装置でのみ放射線画像撮影装置１の記憶手段に記憶されたデータや情報等を削除することができるように構成することが可能である。また、上記のように中継器９０（図６参照）等の機器を指定しておき、指定された機器を介する場合にのみコンピューター６０等の装置で放射線画像撮影装置の記憶手段に記憶されたデータや情報等を削除することができるように構成することも可能である。
【００７２】
さらに、コンピューター６０や携帯情報端末７０等の装置から放射線画像撮影装置１に削除要求を送る際、例えばパスワード等の所定の識別を入力させるように構成し、装置から放射線画像撮影装置１に送信された削除要求に当該パスワード等の所定の識別情報が付加されている場合にのみ放射線画像撮影装置１の記憶手段に記憶されたデータや情報等を削除することができるように構成することも可能である。
【００７３】
このように構成すれば、放射線画像撮影装置１等の管理者が知らないうちに、放射線画像撮影装置１の記憶手段に記憶されている、削除すべきでないデータや情報等が故意に削除される等の問題が生じることなく、不要になったデータや情報等を放射線画像撮影装置１の記憶手段から的確に削除することが可能となる。
【００７４】
［本実施形態の活用例について］
次に、上記で説明した放射線画像撮影装置１の本発明に特有の構成、すなわち、放射線画像撮影装置１の記憶手段に任意のデータや情報等を記憶させることができるようにした構成を、その他の有用な用途にも用いることができる。そして、放射線画像撮影装置１における本発明に特有の構成を活用して、放射線画像撮影装置１をユーザーにとって使い易いものとすることが可能となる。以下、活用例について、いくつかの構成例を挙げて具体的に説明する。
【００７５】
［構成例１］
例えば、放射線画像撮影装置１の記憶手段に記憶されているテキストデータや写真データ、動画データ等を、コンピューター６０や携帯情報端末７０の表示部６１、７１上に表示させる（動画データの場合は再生させる）ことができるように構成することが可能である。また、放射線画像撮影装置１の記憶手段に記憶されている音声データ等を、コンピューター６０や携帯情報端末７０の図示しないスピーカー等の発声手段で音声として再生させることができるように構成することも可能である。
【００７６】
この場合、例えば放射線技師等のユーザーがコンピューター６０や携帯情報端末７０を操作して、放射線画像撮影装置１に、記憶手段に記憶されているデータや情報等の送信要求を送り、放射線画像撮影装置１の制御手段２２や通信部２６が、その送信要求に応えて記憶手段からデータや情報等を読み出してコンピューター６０や携帯情報端末７０に送信する。
【００７７】
そして、コンピューター６０や携帯情報端末７０は、放射線画像撮影装置１からデータや情報等を取得すると、例えばデータ等がテキストデータや写真データの場合は、それらのデータを例えば図５に示したように表示部６１、７１上に表示させ、動画データの場合は、表示部６１、７１上で動画として再生させ、音声データの場合は、スピーカー等の発声手段で音声として再生させるように構成される。
【００７８】
また、例えば、放射線技師等のユーザーが、コンピューター６０や携帯情報端末７０上でこれから行う撮影に使用する放射線画像撮影装置１を選択する際に、表示部６１、７１上に選択可能な放射線画像撮影装置１を表示した時点、或いは、それらの中から使用する放射線画像撮影装置１が選択された時点で、コンピューター６０や携帯情報端末７０がそれらの放射線画像撮影装置１から記憶手段に記憶されているデータや情報等を取得し、それらのデータや情報等を表示部６１、７１上に表示させたり表示部６１、７１上や発声手段で再生させるように構成することが可能である。
【００７９】
このように構成することで、放射線技師等のユーザーは、表示されたテキストや写真や再生された動画を見たり再生された音声を聞く等して、放射線画像撮影装置１が故障や不具合等を生じ易いか否かや、不具合等が生じた場合にどのように対処すればその不具合を回避することができるか（例えば図５における「○○に注意すると電源が長持ちする」等の記載参照）、或いは、異常な放射線画像が撮影される可能性があるか否か等を適切に判断して、使用する放射線画像撮影装置１を適切に選択することが可能となる。
【００８０】
なお、この場合、例えば、コンピューター６０や携帯情報端末７０で、放射線画像撮影装置１から送信されてきたデータや情報等をそのまま表示部６１、７１上で表示、再生したり発声手段で再生させたりする代わりに、例えば、テキストデータ中から必要な情報（或いは指定された情報。以下同じ。）を検索したり、写真データや動画データを画像解析して必要な情報を抽出したり、或いは、音声認識で音声データの中から必要な情報を抽出する等して、必要な情報のみを表示、再生させるように構成することも可能である。
【００８１】
このように構成すれば、例えばテキストデータや写真データ、動画データ、音声データ等が比較的大きなデータ量のデータになったような場合に、ユーザーがそれを全て表示、再生させて、その中から必要な情報を探し出す手間を省くことが可能となり、コンピューター６０や携帯情報端末７０等を含む放射線画像撮影システム５０がユーザーにとって使い勝手が良いものとなる。
【００８２】
［コンピューター等でのデータ等の閲覧、再生の制限について］
なお、この場合も、コンピューター６０や携帯情報端末７０等で、放射線画像撮影装置１の記憶手段に記憶されているデータや情報等を自由に表示させたり再生させて、自由に閲覧したり再生することができるように構成すると、放射線画像撮影装置１の記憶手段に記憶されているデータや情報等が第三者によって容易に盗み見られたり音声を聞かれたりしてしまう等の問題が生じ得る。
【００８３】
そこで、この場合も、放射線画像撮影装置１の制御手段２２や通信部２６は、指定されたコンピューター６０や指定された携帯情報端末７０から放射線画像撮影装置１に対して記憶手段に記憶されたデータや情報等の送信要求があった場合にのみ、記憶手段に記憶されているデータや情報等をコンピューター６０や携帯情報端末７０に送信して表示させたり再生させたりするように構成することが可能である。
【００８４】
また、指定された中継器９０（図６参照）等の機器を介してコンピューター６０等から放射線画像撮影装置１に対して送信要求があった場合や、コンピューター６０等からの送信要求にパスワード等の所定の識別情報が付加されている場合にのみ、放射線画像撮影装置１の制御手段２２や通信部２６は、記憶手段に記憶されているデータや情報等をコンピューター６０等に送信して表示させたり再生させたりするように構成することも可能である。
【００８５】
このように構成すれば、放射線画像撮影装置１等の管理者が知らない間に、放射線画像撮影装置１の記憶手段に記憶されているデータや情報等が、第三者によって盗み見られたり聞かれたりする等の問題が生じることを的確に防止することが可能となる。また、管理者によって閲覧や再生を許された放射線技師等のユーザーは、コンピューター６０や携帯情報端末７０の表示部６１、７１上に、放射線画像撮影装置１の記憶手段に記憶されているデータや情報等を表示させて、自由に閲覧したり再生させたりすることが可能となる。
【００８６】
なお、放射線画像撮影装置１の記憶手段に記憶されているデータや情報等のうちの一部のデータや情報等は、上記のような第三者だけでなく、特定の人以外の人には見られたり聞かれたりさせたくない場合があり得る。そこで、そのような場合には、例えばデータや情報等に所定のフラグを付けておき、フラグを付けたデータや情報等はパスワードを入力する等の所定の操作等を行わない限り閲覧したり再生させたりすることができないように構成することも可能である。
【００８７】
［構成例２］
前述したように、本実施形態では、放射線画像撮影装置１の記憶手段に、例えばテキストデータや写真データ、動画データ、音声データ等の任意の形態のデータを記憶させることが可能である。そして、前述したように撮影が行わるごとに放射線画像撮影装置１の制御手段２２が上記のようにして画像データＤを生成させるが、例えば、その際に、その画像データＤの撮影時に放射線画像撮影装置１の記憶手段に記憶されたデータを当該画像データＤに対応付けるように構成することが可能である。
【００８８】
具体的には、例えば、撮影時に、放射線技師等のユーザーが記録に残すべきと判断する等した事項等をテキストデータとして携帯情報端末７０から放射線画像撮影装置１に送って記憶手段に記憶させたり、或いは、撮影風景を撮影した写真データや動画データ、音声データ等を携帯情報端末７０やカメラ８０、ビデオカメラ、マイクロフォン等から放射線画像撮影装置１に送って記憶手段に記憶させたりする場合がある。
【００８９】
そして、このようにして撮影時に放射線画像撮影装置１の記憶手段に記憶されたデータを、例えば放射線画像撮影装置１の制御手段２２が、放射線技師等のユーザーの指示に基づいて、或いは自ら判断して、当該撮影の際に生成した画像データＤにそれらのデータや情報等を対応付けるように構成することが可能である。
【００９０】
このように構成すれば、例えば、ある患者の撮影部位の撮影を行う際に、過去に当該患者の当該撮影部位を撮影した際の画像データＤに対応付けられているテキストデータや写真データ等を見たり聞いたりすることで、過去の撮影で当該撮影部位に対して放射線画像撮影装置１をどのようにポジショニングしたりどのような角度から放射線を照射したか等を具体的に知ることが可能となる。そのため、今回の撮影も同じようにポジショニングしたり放射線を照射したりして撮影を的確に行うことが可能となる。
【００９１】
また、例えば、撮影された画像データＤに異常があるような場合に、その画像データＤに対応付けられているデータ等を見たり聞いたりすることで、その異常が発生した原因等を解明することも可能となるなど、種々のメリットがある。
【００９２】
［構成例３］
一方、上記のように、放射線画像撮影装置１の記憶手段に任意のデータや情報等を記憶させることができるように構成することで、ユーザーが、放射線画像撮影装置１の記憶手段を管理台帳やメモ帳がわりに使用することが可能となる。
【００９３】
すなわち、放射線技師等のユーザーは、撮影を行う際に、行った撮影の内容を照射録に記録するほか、例えば放射線画像撮影装置１について気付いたことや発生した故障や不具合、エラー等を管理台帳やメモ帳等に記載して残す。このように、従来から、放射線技師等のユーザーは、撮影を行うごとに、照射録や管理台帳、メモ帳等の複数の帳面や帳簿等に種々の内容を記入しなければならなかった。
【００９４】
しかし、上記のように、放射線画像撮影装置１の記憶手段に任意のデータや情報等を記憶させることができるように構成すれば、ユーザーは、放射線画像撮影装置１の記憶手段に、従来、管理台帳やメモ帳等に記入していた内容を自由に書き込むことが可能となり、放射線画像撮影装置１の記憶手段を管理台帳やメモ帳がわりに使用することが可能となる。
【００９５】
しかも、テキストデータや写真データだけでなく、動画データや音声データ等も記憶させることができるため、放射線画像撮影装置１の記憶手段で、全てのデータ（なお、記入が義務付けられている照射録等への記入は別途行われる。）を記憶させて管理することが可能となる。
【００９６】
そのため、放射線画像撮影装置１の記憶手段に記憶されているデータや情報等を見れば、これまで種々の帳面や帳簿等に記載されていた内容が記憶されていることになり、放射線画像撮影装置１で、全てのデータや情報等の管理が完結することになる。そのため、上記のように構成された放射線画像撮影装置１は、ユーザーにとって使い勝手が良いものとなる。
【００９７】
なお、本発明が上記の実施形態や各構成例等に限定されず、本発明の趣旨を逸脱しない限り、適宜変更可能であることは言うまでもない。
【００９８】
例えば、上記の説明の中で、メーカー側が放射線画像撮影装置１の修理や解析等を行う際に必要なデータを、放射線画像撮影装置１の制御手段２２や通信部２６が自動的に収集して記憶手段に記憶させるためのプログラムをメーカー側が用意し、ユーザーに連絡して、そのプログラムをダウンロードしてもらうことについて説明した。
【００９９】
その際、或いは放射線画像撮影装置１のメーカー側に送って修理や解析等を行う場合でなくてもよいが、例えば、メーカー側が、当該放射線画像撮影装置１やその放射線画像撮影装置１と同じタイプの放射線画像撮影装置について得られた知見や使用方法等の情報をユーザーにダウンロードしてもらい、それらの情報をユーザーに通知するように構成することも可能である。
【符号の説明】
【０１００】
１  放射線画像撮影装置
７  放射線検出素子
２２  制御手段
２３  記憶手段
２５  記憶媒体用のコネクター（入力手段）
２６  通信部（入力制御手段）
３９  コネクター（入力手段）
４１  アンテナ（入力手段）
５０  放射線画像撮影システム
６０  コンピューター（記録装置、装置）
６１  表示部
７０  携帯情報端末（記録装置、装置）
７１  表示部
８０  カメラ（記録装置）
９０  中継器（指定された機器）
Ｄ  画像データ
ＳＰ  センサーパネル
【図１】
2016109604.tif 000003
【図２】
2016109604.tif 000004
【図３】
2016109604.tif 000005
【図４】
2016109604.tif 000006
【図５】
2016109604.tif 000007
【図６】
2016109604.tif 000008